(57)【要約】      （修正有）【課題】横漏れ防止性と装着容易性とが両立したパンツ型使い捨ておむつを提供すること。【解決手段】吸収性本体２０と外包材３０を備える。吸収性本体２０の吸収性コア２３は、中央吸収体２３ａと一対のサイド吸収体２３ｂを具備する。中央吸収体２３ａとサイド吸収体２３ｂとの間に切離部がある。吸収性本体２０は防漏カフ４０を有する。防漏カフ４０は吸収性本体２０におけるサイド吸収体２３ｂの裏面側を被覆し、かつ吸収性本体２０の側縁から延出して、表面側に向けて起立している。平面視において、レッグ弾性部材３４と防漏カフ４０とが重なっており、かつ両者が非接合状態になっている。背側部Ｂにおいて吸収性コア２３は、側縁から幅方向内側に向かう一対のノッチ部を有している。ノッチ部と切離部とは、おむつの展開状態の平面視において幅方向に関して重なるように配置されている。【選択図】図３
2010162338.tif 000002
【特許請求の範囲】
【請求項１】
吸収性コアを有する吸収性本体と、その外側に配置固定された外包材とを備え、該外包材における一対のレッグ開口縁に沿ってレッグ弾性部材が伸長状態で配され、腹側部から股下部を介して背側部にわたる縦方向とこれに直交する幅方向を有するパンツ型使い捨ておむつにおいて、
前記吸収性コアは、中央吸収体と、該中央吸収体の両側部に配置された、長手方向に延びる一対のサイド吸収体とを具備し、該中央吸収体と一対の該サイド吸収体との間にそれぞれ長手方向に延びる切離部を有しており、
前記吸収性本体は、おむつ長手方向に沿う両側部に、一対の防漏カフを有し、該防漏カフは該吸収性本体におけるサイド吸収体の裏面側を被覆し、かつ該吸収性本体の側縁から延出して、表面側に向けて起立しており、
平面視において、前記レッグ弾性部材と前記防漏カフとが重なっており、かつ両者が非接合状態になっており、
おむつの背側部において、前記吸収性コアは、各側縁から幅方向内側に向かう一対のノッチ部を有しており、該ノッチ部と前記切離部とは、おむつの展開状態の平面視において前記幅方向に関して少なくとも一部が重なるように配置されているパンツ型使い捨ておむつ。
【請求項２】
平面視において、前記レッグ弾性部材がレッグ開口縁から前記切離部に向かうように延在しており、該レッグ弾性部材は、該切離部が存在する位置では伸縮性を発現しないようになされている、請求項１記載のパンツ型使い捨ておむつ。
【請求項３】
前記ノッチ部は、これが前記幅方向の外側から内側に向かう場合には、前記縦方向の背側部から腹側部に向かう方向に延びている請求項１又は２記載のパンツ型使い捨ておむつ。
【請求項４】
前記切離部は、前記縦方向を二等分する中心線よりも腹側部にのみ位置する請求項１ないし３のいずれかに記載のパンツ型使い捨ておむつ。
【請求項５】
前記中央吸収体は、おむつの股下部において、前記幅方向に延びる横断切離部を有している請求項１ないし４のいずれかに記載のパンツ型使い捨ておむつ。
【発明の詳細な説明】
【技術分野】
【０００１】
本発明は、パンツ型使い捨ておむつに関する。
【背景技術】
【０００２】
本出願人は先に、吸収性本体と、その外側に配置固定されて外包材とを備えたパンツ型使い捨ておむつを提案した（特許文献１〜３参照）。このおむつにおいては、吸収性本体の形成部材である吸収性コアが、中央吸収体と、該中央吸収体の長手方向一方部で連接されかつ該中央吸収体の両側部に設けられた一対のサイド吸収体とを具備している。中央吸収体及びサイド吸収体のうち、サイド吸収体は、おむつの股下部に配されている。吸収性本体は、おむつの股下部においてサイド吸収体が起立するようになされている。更に、吸収性本体の両側に防漏カフが形成されている。このおむつは、着用状態で股下部がだぶつかず、おむつの外観がすっきりしていて、股下部でのフィット性及び防漏性に優れるという利点を有する。
【０００３】
また特許文献４には、股下部における吸収体に、一対の肉薄部からなる補助屈曲部と、その幅方向外側に、相反する方向に隆起する隆起部を設けて、股下部において吸収体が舟形に変形し易いおむつが記載されている。
【先行技術文献】
【特許文献】
【０００４】
【特許文献１】特開２００６−１４１７６１号公報
【特許文献２】特開２００６−３４１０６１号公報
【特許文献３】特開２００６−２９４８２号公報
【特許文献４】特開２００８−１２１９８号公報
【発明の概要】
【発明が解決しようとする課題】
【０００５】
例えば特許文献１のおむつでは、その図８に示されているように、同文献に記載のおむつは、レッグ弾性部材上から防漏カフが立ち上がっているので、それに起因してサイド吸収体の立ち上がり性が阻害される場合がある。サイド吸収体が首尾良く立ち上がらない場合には、サイド吸収体の一部がレッグ開口部を塞ぎやすくなり、おむつを装着するときにレッグ開口部に脚を通しづらいことがある。
【０００６】
特許文献２及び３のおむつでは、幅方向での起立性は良好であるが、臀部でのフィット性に関しては何ら記載がない。また、特許文献４ではその図１０に記載されるように、隆起部が立ち上がり理想的な船形が形成されるとされているが、隆起部に隣接して存在する窪み部からの液漏れが懸念され、更に後身頃部では吸収体の剛性が、着用時、特に座位における着用者の体型や動きへ追従しづらいことがあり、改善の余地があると考えられる。
【０００７】
本発明の目的は、前述した従来技術よりも種々の性能が更に向上したパンツ型使い捨ておむつを提供することにある。
【課題を解決するための手段】
【０００８】
本発明は、吸収性コアを有する吸収性本体と、その外側に配置固定された外包材とを備え、該外包材における一対のレッグ開口縁に沿ってレッグ弾性部材が伸長状態で配され、腹側部から股下部を介して背側部にわたる縦方向とこれに直交する幅方向を有するパンツ型使い捨ておむつにおいて、
前記吸収性コアは、中央吸収体と、該中央吸収体の両側部に配置された、長手方向に延びる一対のサイド吸収体とを具備し、該中央吸収体と一対の該サイド吸収体との間にそれぞれ長手方向に延びる切離部を有しており、
前記吸収性本体は、おむつ長手方向に沿う両側部に、一対の防漏カフを有し、該防漏カフは該吸収性本体におけるサイド吸収体の裏面側を被覆し、かつ該吸収性本体の側縁から延出して、表面側に向けて起立しており、
平面視において、前記レッグ弾性部材と前記防漏カフとが重なっており、かつ両者が非接合状態になっており、
おむつの背側部において、前記吸収性コアは、各側縁から幅方向内側に向かう一対のノッチ部を有しており、該ノッチ部と前記切離部とは、おむつの展開状態の平面視において前記幅方向に関して少なくとも一部が重なるように配置されているパンツ型使い捨ておむつを提供するものである。
【発明の効果】
【０００９】
本発明のパンツ型使い捨ておむつは、横漏れ防止性と装着容易性とが両立したものとなる。
【図面の簡単な説明】
【００１０】
【図１】図１は、本発明のパンツ型使い捨ておむつの一実施形態を示す斜視図である。
【図２】図２は、図１に示すおむつを、そのサイドシール部で開き、平面に展開した状態を表面シート側からみた平面図である。
【図３】図３は、図２におけるIII−III線断面図である。
【図４】図４（ａ）及び（ｂ）はそれぞれ、吸収性コアを示す平面図である。
【図５】図５は、吸収性コアの別の実施形態を示す平面図（図４（ａ）及び（ｂ）相当図）である。
【図６】図６は、図１に示すおむつの別の実施形態を示す断面図（図３相当図）である。
【図７】図７（ａ）及び（ｂ）は、図１に示すおむつの別の実施形態を示す断面図（図３相当図）である。
【図８】図８は、吸収性コアとレッグ弾性部材との位置関係を示す平面図である。
【図９】図９は、吸収性コアとレッグ弾性部材との別の位置関係を示す平面図である。
【図１０】図１０は、図１に示すおむつにおける液の吸収機構を示す模式図である。
【図１１】図１１（ａ）は、本発明の吸収性物品の別の実施形態を示す断面図（図３相当図）であり、図１１（ｂ）は、図１１（ａ）における吸収性コアの平面図である。
【図１２】図１２は、本発明の吸収性物品の更に別の実施形態を示す断面図（図３相当図）である。
【発明を実施するための形態】
【００１１】
以下本発明を、その好ましい実施形態に基づき図面を参照しながら説明する。図１には、本発明のパンツ型使い捨ておむつの一実施形態の斜視図が示されている。図２は、図１に示すおむつを、そのサイドシール部で開き、平面に展開した状態を表面シート側からみた平面図である。図１及び図２に示すおむつ１０は、いわゆるパンツ型のおむつである。おむつ１０は、吸収性本体２０と、該吸収性本体２０の非肌当接面側に位置する外包材３０とを具備する。このおむつ１０は、着用時に着用者の腹側に配される腹側部Ａと、着用者の背側に配される背側部Ｂと、その間に位置する股下部Ｃとに区分される。腹側部Ａ、背側部Ｂ及び股下部Ｃは、展開かつ伸長状態（各部の弾性部材を伸長させ平面状に拡げた状態、図２に示す状態）のおむつにおいて、その長手方向（図２の上下方向）の全長を略３等分するように３領域に区分したときの各領域である。おむつに関して、本明細書において、腹側部Ａから背側部Ｂにわたる方向を縦方向といい、これと直交する方向を幅方向という。図１及び２に示されるおむつ１０においては、縦方向がおむつ１０の長手方向となっている。
【００１２】
なお、本明細書において「非肌当接面側」とは、吸収性本体２０などの各部材の表裏両側（面）のうち、着用時に着用者の肌側とは反対側に配される側（面）である。また、以下の説明において「肌当接面側」という語を使用することがあるが、これは、各部材の表裏両側（面）のうち、着用時に着用者の肌側に配される側（面）である。更に、以下の説明においては「裏面側」及び「表面側」という表現も用いられているが、これらの語は「非肌当接面側」及び「肌当接面側」と同義である。「長手方向」とは、各部材の長辺と平行な方向である。また、以下の説明において「幅方向」という語句を使用することがあるが、これは、該長手方向と直交する方向である。
【００１３】
吸収性本体２０は縦長矩形形状をなし、その長手方向を、おむつの長手方向に一致させて、腹側部Ａから背側部Ｂにわたるように、ホットメルト型接着剤等の公知の接合手段により外包材３０の幅方向中央部に接合されている。この接合の詳細については後述する。外包材３０は、腹側部Ａに位置する部分の両側縁部と背側部Ｂに位置する部分の両側縁部とが、ヒートシール、高周波シール、超音波シール等の公知の接合手段により互いに接合されている。これによりおむつ１０には一対のサイドシール部Ｓが形成されている。また、その接合によって、おむつ１０に、ウエスト開口部１１及び一対のレッグ開口部１２，１２が形成されて、外包材３０はパンツ型の立体形状となる。
【００１４】
図３に示すように、外包材３０は、内層シート３１及び外層シート３２と、これら２枚のシート間に固定された各部の弾性部材とからなる。各部の弾性部材については後述する。内層シート３１と外層シート３２とは同形である。外包材３０の外縁は、展開状態のおむつ１０の輪郭をなしている。内層シート３１及び外層シート３２は、好適には同一の又は異なる通気性シート、例えば各種の方法で製造された不織布から構成されている。
【００１５】
外包材３０におけるウエスト開口縁には、該開口縁に沿っておむつ１０の幅方向に延びる複数のウエスト弾性部材３３が伸長状態で配されている。また、外包材３０におけるレッグ開口縁には、該開口縁に沿って複数のレッグ弾性部材３４が伸長状態で配されている。図１に示すように、レッグ弾性部材３４は、おむつ１０の股下部Ｃにおいて、外包材３０をその幅方向に向けて横切るようには配されていない。したがって外包材３０は、おむつ１０の股下部Ｃにおいて、外包材３０の幅方向中央域に非伸縮性領域を有している。本実施形態では、後述する切離部２４が存在する部分にレッグ弾性部材３４が存在していないことで、該部分が非伸縮性領域となっている。
【００１６】
ウエスト弾性部材３３とレッグ弾性部材３４との間には、おむつ１０の幅方向に延びる複数の胴回り弾性部材３５が伸長状態で配されている。胴回り弾性部材３５は吸収性本体２０と交差しないように配置されている。
【００１７】
外包材３０と接合固定される吸収性本体２０は、図３に示すように、表面シート２１と、裏面シート２２と、両シート２１，２２間に介在配置された吸収性コア２３とを備えている。表面シート２１は液透過性のシートからなり、おむつ１０の着用状態において着用者の肌に対向する。裏面シート２２は液不透過性ないし撥水性のシートからなり、外包材３０と対向している。吸収性コア２３の左右両側縁には弾性部材２３’が伸長状態で配されている。この弾性部材２３’は吸収性コア２３の概ね全長にわたって配されており、表面シート２１によって包まれている。弾性部材２３’は、後述するサイド吸収体２３ｂを一層起立させるために用いられているが、本実施形態においてはサイド吸収体２３ｂとレッグ弾性部材３４と防漏カフ４０とが互いに非接合状態になっており、サイド吸収体２３ｂは十分起立されるため、弾性部材２３’は配されていなくてもよい。
【００１８】
表面シート２１及び裏面シート２２としては、当該技術分野において従来用いられてきたものと同様のものを特に制限なく用いることができる。例えば、表面シート２１としては、液透過性を有する不織布や、穿孔フィルムを用いることができる。裏面シート２２としては、合成樹脂製の液不透過性フィルムや、スパンボンド−メルトブローン−スパンボンド積層不織布等の耐水圧が高い撥水性の不織布を用いることができる。裏面シート２２が液不透過性である場合、該シート２２は水蒸気透過性を有していてもよい。防漏性及び通気性の観点から、裏面シート２２は、水蒸気透過性を有する合成樹脂製の液不透過性フィルムが好ましい。吸収性コア２３は例えば、パルプ等のセルロース系繊維からなる吸液性繊維と、高吸収性ポリマー等のヒドロゲル材料からなる粒子との混合体から構成されているか、又は該混合体がティッシュペーパーや不織布等からなる液透過性シートで包被されて構成されている。
【００１９】
図４（ａ）には、吸収性本体２０に用いられている吸収性コア２３の平面図が示されている。同図中、上側がおむつ１０における腹側部Ａに対応し、下側がおむつ１０における背側部Ｂに対応する。吸収性コア２３は、全体として略矩形の形状をしている。また吸収性コア２３は、おむつ１０の長手方向に関して左右対称の形状をしている。更に吸収性コア２３は、中央吸収体２３ａと一対のサイド吸収体２３ｂとを有している。中央吸収体２３ａとサイド吸収体２３ｂとの間には切離部２４が存在している。切離部２４は、図２に示されるように、おむつ１０の縦方向を二等分する中心線Ｌよりも腹側部Ａ寄り（以降「前半部」ともいう。）に存在している。切離部２４は、吸収体の構成材料が全く存在していない部位であるか、又は僅かな量の構成材料が存在している部位、あるいは加圧によって圧密化されて他の部位よりも薄くなっている押圧部位である。切離部２４は、おむつ１０の装着性や液の拡散性の観点から、吸収性コアの構成材料が全く存在していない部位であることが好ましい。この場合、切離部２４は所定の幅を有していてもよく、あるいは吸収性コア２３にスリット状の切れ込みが形成されただけでもよい（つまり幅がゼロでもよい）。中央吸収体２３ａとサイド吸収体２３ｂとの間に切離部２４を設けることで、おむつ１０の装着状態において、サイド吸収体２３ｂが切離部２４に沿って座屈しやすくなる。それによって、図３に示すように、後述する防漏カフ４０とともにサイド吸収体２３ｂが首尾良く起立するようになる。サイド吸収体２３ｂが起立することは、液の横漏れ防止の観点から有利であることに加え、着用者がおむつ１０を装着するときに、レッグ開口部１２が該サイド吸収体２３ｂで閉塞されることが効果的に防止され、レッグ開口部１２に脚を挿入することが容易になる点から非常に有利である。このことは特に、吸収性本体２０の股下部Ｃにおける幅が外包材３０の股下部における幅よりも大きい場合に効果的である。
【００２０】
図４（ａ）に示す実施形態では、サイド吸収体２３ｂは、中央吸収体２３ａの長手方向一方部で該中央吸収体２３ａと連接し、他方部は開放されているが、図４（ｂ）に示すように長手方向の前後二方部で該中央吸収体２３ａと連接している方がより好ましい。具体的に説明すると、図４（ａ）に示す一方部連接の場合は、サイド吸収体２３ｂは、おむつ１０の腹側部寄りの一方部で中央吸収体２３ａと連接している。サイド吸収体２３ｂは、おむつ１０の長手方向に延びる細長の形状をしており、その先端部は自由端になっている。サイド吸収体２３ｂは、おむつ１０の股下部Ｃに存在し、かつサイド吸収体２３ｂの先端部は、おむつ１０の股下部Ｃを越えて背側部Ｂ寄りの位置に位置している。また、図４（ｂ）に示す二方部連接の場合は、サイド吸収体２３ｂは、おむつ１０の相対的に腹側部寄りの部位及び相対的に背側部寄りの部位の二方部で中央吸収体２３ａと連接し、切離部２４は閉じられた形状になっている。これより、吸収性コア２３の加工性の観点から搬送上の該コア２３の捲れが生じにくくなるので安定した状態で該コア２３を成形でき、かつ切離部２４で拡散した液を全周囲で効率的に吸収できるため防漏性低下に優れる。
【００２１】
更に図５に示すように、切離部２４が、吸収性コア２３を縦方向に二等分する中心線Ｌよりも腹側部Ａ寄りのみに存在する形態も挙げられる。図４（ａ）及び（ｂ）並びに図５に示す切離部２４は、いずれも吸収性コア２３を縦方向に二等分する中心線Ｌよりも腹側部Ａ寄りに存在しており、これらの吸収性コア２３を図２に示すように、前半部に切離部２４が位置するように外包体３０上に配することによって、着用者の排尿部を包むようにサイド吸収体２３ｂが起立して、おむつの股下部Ｃが、着用者の狭い股下部にフィットするので、尿の横漏れ防止に有効である。また図４（ｂ）に示す実施形態のように、切離部２４が閉じている場合には、液漏れの防止効果が高く、更に図５に示す実施形態のように、切離部２４が前半部のみに存在する場合には、着用者の排尿部の周りにのみサイド吸収体２３ｂが起立してポケット構造を形成し得るので、座位における臀部での違和感や動作時の該ポケットの潰れ等が生じ難いという有利な効果も奏される。この有利な効果は、図５に示す実施形態において、切離部２４の長手方向前端縁及び後端縁が、吸収性コア２３の側縁において開放されていないことによって一層顕著なものとなる。なお、切離部２４は、扁平な台形状の輪郭をしており、台形の上辺及び下辺が、おむつ１０の長手方向と一致し、かつ上辺がおむつの幅方向内寄りに位置し、下辺がおむつの幅方向外寄りに位置している。また、先に説明した図４（ａ）及び（ｂ）と異なり、本実施形態においては、中央吸収体２３ａに、後述する横断切離部２５は形成されていない。
【００２２】
図４（ａ）及び（ｂ）に示す実施形態では、中央吸収体２３ａはおむつ１０の股下部Ｃにおいて、おむつ幅方向に延びる横断切離部２５を有している。横断切離部２５は切離部２４に隣接する中央吸収体２３ａに有していればよく、好ましくは横断切離部２５の形成位置において、中央吸収体２３ａの幅が最も狭くなっていることがよい。横断切離部２５の形状は限定されないが、一定幅の直線状が好ましい。横断切離部２５の左右の端部は、先に述べた各切離部２４とつながっている。横断切離部２５は、先に述べた切離部２４と同様に、吸収体の構成材料が全く存在していない部位であるか、又は僅かな量の構成材料が存在している部位、あるいは加圧によって圧密化されて他の部位よりも薄くなっている押圧部位である。横断切離部２５は、おむつ１０の装着性や液の拡散性の観点から、吸収性コア２３の構成材料が全く存在していない部位であることが好ましい。横断切離部２５を設けることで、吸収性本体２０はおむつ１０の幅方向に沿って座屈しやすくなる。したがって、先に述べた切離部２４と同様に、この横断切離部２５によってもおむつ１０の装着が容易になる。更に、先に述べた切離部２４とこの横断切離部２５とを組み合わせて用いることで、吸収性コア２３には全体として略Ｈ字形をした切離部が形成されることになる。この略Ｈ字形をした切離部を採用することによって、吸収性コア２３に排泄された液の長手方向及び幅方向への拡散性が一層高まるという利点が生じる。
【００２３】
中央吸収体２３ａは、横断切離部２５の位置からおむつ１０の背側部Ｂへ向けて、その幅が漸増している。おむつ１０の背側部Ｂにおいて、すなわち、横断切離部２５よりも背側部Ｂ寄りの位置において、中央吸収体２３ａは左右の各側縁２６から幅方向内側に向かって先細となる楔形の一対の側縁ノッチ部２６ａを有している。おむつ１０の展開状態の平面視において、側縁ノッチ部２６ａと上述した切離部２４とは、幅方向に関して少なくとも一部が重なるように配置されている。言い換えると、図４（ａ）及び（ｂ）並びに図５において、側縁ノッチ部２６ａの幅方向外側端から内側端までの領域を、縦方向に仮想的に延ばしたとき、その領域内に切離部２４の少なくともが存在する。これによって、切離部２４によるサイド吸収体２３ｂの起立性が一層高まる。特に、図４（ｂ）及び図５に示すような、切離部２４が閉じている形状の場合、それよりも背側に存在する側縁ノッチ部２６ａと切離部２４とを結ぶラインに沿ってサイド吸収体２３ｂが起立し易いので、サイド吸収体２３ｂが起立する際に撚れや捩れが生じにくく、着用者の排尿部付近でのフィット性や漏れ防止性が高まる。
【００２４】
側縁ノッチ部２６ａは、おむつ１０の展開状態の平面視において、幅方向の外側から内側に向かうに連れて、縦方向の背側部Ｂから腹側部Ａに向かうように（図４においては、上方に向かう楔形状と）なされている。これによって、側縁ノッチ部２６ａをサイド吸収体２３ｂに隣接して配置しなくてもサイド吸収体２３ｂの起立性が高まる。かつ着用者の臀部で吸収性コアが体の形状に沿って屈曲し易くなるとともに、座位で着用者が臀部を動かすような時に、吸収性コア２３の側縁ノッチ部２６ａ以後の部分が動きに追従し易くなる。これらの結果、着用感に優れ、また排便時の便漏れ抑制に役立つ。
【００２５】
また、中央吸収体２３ａは、おむつ１０の背側部Ｂにおける端縁２７の幅方向中央部の位置に端縁２７から長手方向内側に向かって先細となる楔形の端縁ノッチ部２７ａを有している。背側部Ｂにおいて、中央吸収体２３ａがこのような形状をしていることによって、おむつ１０の着用状態において中央吸収体２３ａが着用者の身体にフィットするように首尾良く変形し、吸収性コア２３と着用者の身体との間に隙間が生じづらくなる。
【００２６】
以上の形状を有する吸収性コア２３は、当該技術分野において公知の方法に従い製造することができる。例えば、周面に該吸収性コア２３の形状に対応する形状の凹部を有する積繊ドラムを用い、該凹部内に吸液性繊維とヒドロゲル材料の粒子との混合体を供給・堆積させることで製造することができる。
【００２７】
再び図３に戻ると、吸収性コア２３はその肌当接面側の全域が表面シート２１によって被覆されている。表面シート２１は吸収性コア２３の左右の側縁から延出し、その延出部位２１ａが非肌当接面側に向けて巻き下げられ、サイド吸収体２３ｂにおける非肌当接面側の全域を被覆している。更に延出部位２１ａは切離部２４を越えて、中央吸収体２３ａの非肌当接面側における左右の両側部も被覆している。そして、先に述べた裏面シート２２は表面シート２１の延出部位２１ａよりも非肌当接面側に配置されて、該延出部位２１ａにホットメルト型接着剤２８によって接合されている。
【００２８】
図３に示すように、吸収性本体２０はおむつの長手方向に沿う両側部に一対の防漏カフ４０，４０を有している。この防漏カフ４０は吸収性本体２３におけるサイド吸収体２３ｂの裏面側（すなわち非肌当接面側）の全域を被覆し、更に切離部２４を越えて、中央吸収体２３ａの裏面側における左右の両側部も被覆している。更に、防漏カフ４０は吸収性本体２３の側縁から延出して、表面側（すなわち肌当接面側）に向けて起立している。起立した防漏カフ４０の自由縁部４０ａには、１本又は複数本の弾性部材４１が伸長状態で配置固定されている。
【００２９】
サイド吸収体２３ｂが起立した状態で着用者が歩行等の活動をすると、サイド吸収体２３ｂの裏面側と内層シート３１あるいは衣服との間に摩擦を生じる。この摩擦による裏面シート２２の破損を防止するために、防漏カフ４０は吸収性本体２３の裏面側を被覆する必要がある。ただし、防漏カフ４０は吸収性本体２３の裏面側の全域を必ずしも被覆する必要はなく、少なくともホットメルト型接着剤２８が施された位置を除く吸収性本体２３の裏面側を被覆していればよい。
【００３０】
防漏カフ４０について更に詳述すると、該防漏カフ４０は矩形の防漏カフ形成シート４２を含んで構成されている。防漏カフ形成シート４２は、例えば耐水圧の高い撥水性の不織布等からなる。防漏カフ形成シート４２は折り曲げ位置が自由縁部４０ａとなり、かつ側縁部４２ａが固定部となるように二つ折りされることで防漏カフ４０を形成している。防漏カフ形成シート４２の側縁部は、吸収性本体２０の非肌当接面側においてサイド吸収体２３ｂ及び切離部２４を越えて延び、表面シート２１及び裏面シート２２とともに、ホットメルト型接着剤２８によって中央吸収体２３ａの非肌当接面側において接合固定されている。このホットメルト型接着剤２８が施された位置が防漏カフ４０の固定部となる。そして、防漏カフ４０はこの固定部から自由縁部４０ａまでの間の部位が該防漏カフ４０に隣接する他の部材と非接合状態になっており、独立して自由に動けるようになっている。ここでいう「隣接する他の部材」には、例えばレッグ弾性部材３４、外包材３０、表面シート２１の延出部位２１ａ、サイド吸収体２３ｂなどが含まれる。防漏カフ形成シート４２は単一のシート材料に限定されるものではなく、複数のシート材料が組み合わされて構成されたものでもよい。
【００３１】
防漏カフ形成シート４２を含んで構成される防漏カフ４０と先に述べた裏面シート２２との位置関係に関し、図３に示すように、裏面シート２２の左右の側部は二つ折りされた各防漏カフ形成シート４２間に挟持されている。詳細には、同図に示すように裏面シート２２は、吸収性本体２０における中央吸収体２３ａの裏面側に加え、サイド吸収体２３ｂの裏面側も被覆しているので、該裏面シート２２はその幅方向の中央域を除く左右の側部の全域が、二つ折りされた各防漏カフ形成シート４２間に挟持された状態になっている。このように、二つ折りされた各防漏カフ形成シート４２間に裏面シート２２を挟持することで、サイド吸収体２３ｂの裏面側においては、防漏カフ４０は２枚の防漏カフ形成シート４２及び１枚の裏面シート２２の合計３枚のシート構成になっている。その結果、サイド吸収体２３ｂが起立した状態において、該サイド吸収体２３ｂの外側に位置する防漏カフ４０の強度が増して破けにくくなり、更に液漏れが一層起こりにくくなる。また、裏面シート２２は一般に合成樹脂製のフィルムからなり、該フィルムは肌に対してべたつき感を呈するものであるところ、前記のシート構成とすることで裏面シート２２が着用者の肌に直接当接しづらくなるので、おむつ１０は、その肌触りが布様の風合いの良好なものになる。
【００３２】
図３に示す実施形態では、サイド吸収体２３ｂの下側において、防漏カフ形成シート４２が、サイド吸収体２３ｂの幅方向全域を覆っているが、これに代えて、サイド吸収体２３ｂの幅方向の一部のみを覆うようにしてもよい。例えば図６に示すように、二つ折りされた防漏カフ形成シート４２間に裏面シート２２の側部を挟持するときに、該裏面シート２２の側縁寄りの所定幅の部位のみを挟持することで、結果として、防漏カフ形成シート４２がサイド吸収体２３ｂの幅方向の一部のみを覆うようになる。
【００３３】
また、図３に示す実施形態では、サイド吸収体２３ｂの下側において、二つ折りされた２枚の防漏カフ形成シート４２が、サイド吸収体２３ｂの幅方向全域を覆っているが、これに代えて、２枚の防漏カフ形成シート４２のうちの一方のみが、サイド吸収体２３ｂの下側において、該サイド吸収体２３ｂの幅方向全域を覆っていてもよい。例えば図７（ａ）に示す実施形態では、二つ折りされた２枚の防漏カフ形成シート４２のうち、裏面シート２２の下側に位置するもののみが、サイド吸収体２３ｂの幅方向全域を覆っている。裏面シート２２の上側に位置する防漏カフ形成シート４２は、裏面シートの側縁近傍で終端している。一方、図７（ｂ）に示す実施形態では、二つ折りされた２枚の防漏カフ形成シート４２のうち、裏面シート２２の上側に位置するもののみが、サイド吸収体２３ｂの幅方向全域を覆っている。裏面シート２２の下側に位置する防漏カフ形成シート４２は、裏面シートの側縁近傍で終端している。図７（ａ）と図７（ｂ）に示す実施形態とを対比すると、裏面シート２２が外方に露出する図７（ｂ）に示す実施形態よりも、裏面シート２２が保護される図７（ａ）に示す実施形態の方が好ましい。なお、図７（ａ）において裏面シート２２の下側に位置する防漏カフ形成シート４２及び図７（ｂ）において裏面シート２２の上側に位置する防漏カフ形成シート４２は、先に述べた図６に示す実施形態と同様に、サイド吸収体２３ｂの幅方向の一部のみを覆うようにしてもよい。
【００３４】
図３に示すように吸収性本体２０は、中央吸収体２３ａの位置において、その全長にわたりホットメルト型接着剤２９によって外包材３０と接合されている。一方、吸収性本体２０におけるサイド吸収体２３ｂは、その全長にわたって外包材３０と非接合状態になっている。サイド吸収体２３ｂが外包材３０と非接合状態になっていることで、上述した切離部２４を設けることと相まって、サイド吸収体２３ｂの起立性が非常に良好になる。サイド吸収体２３ｂの起立性が良好になることは、先に述べた通り液の横漏れ防止性の向上の点、及び吸収性本体２０の幅が広くてもおむつ１０の装着（つまり、レッグ開口部１２への脚の挿入）が容易になる点から有利である。また、吸収性本体におけるサイド吸収体２３ｂの部位が外包材３０に接合されている場合には中央吸収体２３ａによれが発生しやすくなるが、これを非接合状態とすることでそのような不都合が生じにくくなり、防漏性の低下が効果的に防止される。
【００３５】
吸収性本体２０と外包材３０とをホットメルト型接着剤２９で接合する場合の接合領域は、おむつ１０の幅方向において先に述べた外包材３０の非伸縮性領域を越えない範囲となっている。このことによって、サイド吸収体２３ｂが外包材３０に配されたレッグ弾性部材３４の伸縮の影響を受けにくくなり、サイド吸収体２３ｂが一層首尾良く起立するようになる。
【００３６】
レッグ弾性部材３４の配置に関し、図８に示すように、おむつ１０の展開状態での平面視において、サイド吸収体２３ｂの外側縁２３ｂ’と、レッグ弾性部材３４とは交差している。このようにレッグ弾性部材３４を配置することで、おむつ１０の装着状態においてサイド吸収体２３ｂが起立しやすくなり、おむつ１０の股下部Ｃにおけるフィット性が向上する。レッグ弾性部材３４はサイド吸収体２３ｂの外側縁２３ｂと交差している一方で、股下部Ｃにおける端部は吸収性コア２３の切離部２４にまでは達していない。このような構成を採用することで、平面視において、弾性が発現しているレッグ弾性部材３４が切離部２４に存在している場合と比べて、本実施形態によれば切離部２４を確実に形成することが可能となり、それによってサイド吸収体２３ｂを首尾良く起立させることが可能となるので好ましい。
【００３７】
図９には、吸収性コア２３とレッグ弾性部材３４との別の位置関係が示されている。同図に示す実施形態では、レッグ部弾性部材３４の股下部Ｃにおける端部が、切離部２４にまで達している。しかし、レッグ弾性部材３４のうち、切離部２４と重なる部分及び切離部２４よりも幅方向内方に位置する部分（図９において符号Ｄで示される部分）は、伸縮性が発現しないようになされている。例えば、レッグ弾性部材３４を、内層シート３１と外層シート３２との間に挟持するときに、符号Ｄで示される部分において、レッグ弾性部材３４が伸縮しないような態様で該レッグ弾性部材３４を両シート３１，３２間に固定している。具体的には、接着剤等を用いた接合によってレッグ弾性部材３４が伸縮しないようにしたり、レッグ弾性部材３４を細かく分断して該レッグ弾性部材３４が伸縮しないようにしたりすればよい。
【００３８】
図８及び上述した図３から明らかなように、展開した状態のおむつ１０を平面視したとき、おむつ１０の股下部Ｃにおいては、レッグ弾性部材３４と防漏カフ４０とは互いに重なっている。これに加えて、レッグ弾性部材３４と防漏カフ４０とは互いに非接合状態になっている。その結果、サイド吸収体２３ｂと、レッグ弾性部材３４とは、互いに独立して動くことが可能になっている。本実施形態では、更にサイド吸収体２３ｂも平面視においてこれらと重なるように、かつこれらと非接合状態で配されている。これによって、上述した効果に加え、防漏カフ４０も独立して動くことが出来る。したがって、これらの部位は着用者の動作による影響を受けづらく、それぞれが独立して防漏性を発揮することが可能となる。具体的には図１０に示すように、おむつ１０の肌当接面側に排泄された液Ｌがおむつ１０の横方向に拡散した場合、先ずサイド吸収体２３ｂによって吸収される。仮に、サイド吸収体２３ｂがすべての液Ｌを吸収しきれず、液Ｌがサイド吸収体２３ｂを乗り越えた場合であっても、サイド吸収体２３ｂと防漏カフ４０との間に液Ｌを回り込ませることができる。サイド吸収体２３ｂの裏面側には、液透過性の材料である表面シート２１の延出部位２１ａが存在しているので、サイド吸収体２３ｂは、その裏面側からも液の透過吸収が可能になっている。したがって、サイド吸収体２３ｂと防漏カフ４０との間に回り込んだ液Ｌは、サイド吸収体２３ｂの裏面側から該サイド吸収体２３ｂに吸収される。また仮に、液Ｌが防漏カフ４０を乗り越えて横漏れした場合であっても、防漏カフ４０とその裏面側に位置する外包材３０とによって形成されたポケット部Ｐ内に液が一時保持されるので、それ以上の液漏れが阻止される。このようにして、本実施形態におむつによれば、液の横漏れが効果的に防止される。しかも、起立したサイド吸収体２３ｂによって、吸収性コア２３が幅広であってもレッグ開口部１２内に脚を挿入しやすい。
【００３９】
以上の横漏れ防止効果を一層確実なものとする観点から、サイド吸収体２３ｂの幅をＷとし、サイド吸収体２３ｂの上面から突出している防漏カフ４０の高さをＨとした場合、両者の寸法の比をＷ：Ｈ＝１：１〜１：０．５に設定することが好ましい。この場合、サイド吸収体２３ｂそれ自体の幅は、おむつ１０の具体的な用途にもよるが、成人用のおむつの場合、サイド吸収体２３の最幅広部におけるＷを１０〜１００ｍｍに設定することが好ましく、２０〜８０ｍｍに設定することが一層好ましい。
【００４０】
図１１及び図１２には、本発明の別の実施形態が示されている。これらの実施形態については、先に述べた各実施形態と異なる部分についてのみ説明し、それ以外については、先に述べた各実施形態の説明が適宜適用される。
【００４１】
図１１（ａ）及び（ｂ）に示す実施形態のおむつでは、吸収性コア２３が上下２段重ねの構造になっている。具体的には、吸収性コア２３は、表面シート２１側に位置する上層吸収性コア２３１と、裏面シート２３側に位置する下層吸収性コア２３２とから構成されている。図１１（ｂ）に示すように、上層吸収性コア２３１と下層吸収性コア２３２とは、ともに矩形である。上層吸収性コア２３１の長手方向の長さは、下層吸収性コア２３２の長手方向の長さよりも若干小さくなっている。幅方向の長さは、上層吸収性コア２３１よりも下層吸収性コア２３２の方が大きくなっている。上層吸収性コア２３１は、下層吸収性コア２３２の幅方向の中央域に載置されている。
【００４２】
下層吸収性コア２３２の構造は、これまで説明してきた実施形態における吸収性コア２３と同じになっている。特に、図５に示す実施形態の吸収性コア２３と同じになっている。具体的には、下層吸収性コア２３２は、中央吸収体２３２ａと一対のサイド吸収体２３２ｂとを有している。中央吸収体２３２ａとサイド吸収体２３２ｂとの間には切離部２４２が存在している。切離部２４２は、吸収性コア２３を縦方向に二等分する中心線Ｌよりも腹側部寄りのみに存在している。切離部２４は、台形状の輪郭をしており、該切離部２４の長手方向前端縁及び後端縁が、下層吸収性コア２３２の側縁２６２において開放されていない。また下層吸収性コア２３２は、その左右の各側縁２６２から幅方向内側に向かって先細となる楔形の一対の側縁ノッチ部２６２ａを有している。側縁ノッチ部２６２ａは、吸収性コア２３を縦方向に二等分する中心線Ｌよりも背側部寄りに存在している。側縁ノッチ部２６２ａと切離部２４２とは、幅方向に関して少なくとも一部が重なるように配置されて    いる。
【００４３】
上層吸収性コア２３１は、略矩形状をしている。上層吸収性コア２３１は、下層吸収性コア２３２における一対の切離部２４２間に配置されている。吸収性コア２３の平面視において、上層吸収性コア２３１は、一対の切離部２４２のいずれにも重なっていない。吸収性コア２３全体で見ると、該コア２３は、その幅方向の中央域の厚みが、側部域の厚みよりも大きくなっている。
【００４４】
図１２に示す実施形態は、図１１に示す実施形態において、上層吸収性コア２３１と下層吸収性コア２３２との配置関係を上下逆転させたものである。つまり、本実施形態における上層吸収性コア２３１は、図１１に示す実施形態における下層吸収性コア２３２に対応し、本実施形態における下層吸収性コア２３２は、図１１に示す実施形態における上層吸収性コア２３１に対応する。それ以外は、本実施形態は図１１に示す実施形態と同じになっている。本実施形態においては、下層吸収性コア２３２は、平面視において、上層吸収性コア２３１に形成されている一対の切離部２４１のいずれにも重ならず、それらの間に位置するように配置されている。
【００４５】
図１１及び図１２に示す実施形態によれば、吸収性コア２３における幅方向中央域の厚みが増して、着用者の股下部へのおむつのフィット性が向上し、防漏性が良好となる。これに加えて、切離部２４１，２４２を境として吸収性コア２３の坪量が大きく変化するので、切離部２４１，２４２からのサイド吸収体２３１ｂ，２３２ｂの起立性が一層良好になり、排泄物の横漏れ防止性能が一層高まる。後者の観点からは、幅狭の吸収性コアが上層側に位置する実施形態である図１１に示す実施形態の方が、図１２に示す実施形態よりも好ましい。
【００４６】
以上、本発明をその好ましい実施形態に基づき説明したが、本発明は前記の実施形態に制限されない。例えば前記の実施形態においては、外包材３０の股下部Ｃにおいて、レッグ弾性部材３４が、外包材３０の幅方向に向けて横切るようには配されていなかったが、これに代えて、レッグ弾性部材３４が、その伸縮性を発現しないような態様で配されている限りにおいて、レッグ弾性部材３４を外包材３０における股下部Ｃの幅方向に向けて横切るように配してもよい。
【符号の説明】
【００４７】
１０  パンツ型使い捨ておむつ
２０  吸収性本体
２３  吸収性コア
２３ａ  中央吸収体
２３ｂ  サイド吸収体
２４  切離部
３０  外包材
３４  レッグ弾性部材
４０  防漏カフ
【図１】
2010162338.tif 000003
【図２】
2010162338.tif 000004
【図３】
2010162338.tif 000005
【図４】
2010162338.tif 000006
【図５】
2010162338.tif 000007
【図６】
2010162338.tif 000008
【図７】
2010162338.tif 000009
【図８】
2010162338.tif 000010
【図９】
2010162338.tif 000011
【図１０】
2010162338.tif 000012
【図１１】
2010162338.tif 000013
【図１２】
2010162338.tif 000014